(57)【要約】  【課題】  施工性に優れるとともに、タイトフレームと折板屋根材との嵌合を良好に行え、しかもその状態を確保することができる嵌合式折板屋根材の取付構造を提供すること。  【解決手段】  屋根の構造材上に立設固定されたタイトフレーム１１に折板屋根材１を取り付ける折板屋根材の取付構造であって、前記折板屋根材１の底部３近傍に係止部８を設け、前記タイトフレーム１１が、二つの側壁部１４と、これらの側壁部１４の上側に連設される天部１５とを備えた山状板部１２を有し、前記二つの側壁部１４には前記係止部８が係止する被係止部１８を設けて、隣り合うタイトフレーム１１の一方の被係止部１８と他方の被係止部１８とで構成された嵌合部１９と、前記底部３とを嵌合固定してあり、前記被係止部１８が、前記側壁部１４から側方に向けて延びる被係止部本体１８ａと、この被係止部本体１８ａの上側に設けられ、前記被係止部本体１８ａの前記係止部８との係止が解除される方向への変形を規制するストッパ１８ｂ，１８ｃとを備えている。  【選択図】  図３
2006046005.tif 000002
【特許請求の範囲】
【請求項１】
屋根の構造材上に立設固定されたタイトフレームに折板屋根材を取り付ける折板屋根材の取付構造であって、前記折板屋根材の底部近傍に係止部を設け、前記タイトフレームが、二つの側壁部と、これらの側壁部の上側に連設される天部とを備えた山状板部を有し、前記二つの側壁部には前記係止部が係止する被係止部を設けて、隣り合うタイトフレームの一方の被係止部と他方の被係止部とで構成された嵌合部と、前記底部とを嵌合固定してあり、前記被係止部が、前記側壁部から側方に向けて延びる被係止部本体と、この被係止部本体の上側に設けられ、前記被係止部本体の前記係止部との係止が解除される方向への変形を規制するストッパとを備えていることを特徴とする折板屋根材の取付構造。
【請求項２】
前記被係止部本体が、板状の前記側壁部の下部にほぼコの字形状を切り込みを設け、この切り込みで囲まれた部位を起こすことで形成され、前記ストッパが、前記被係止部本体にほぼエの字形状の切り込みを設けて二つの部位を形成し、二つの部位を上側に起こすことで形成されている請求項１に記載の折板屋根材の取付構造。
【発明の詳細な説明】
【技術分野】
【０００１】
本発明は、例えば工場や倉庫、事務所、店舗等の建築物の屋根に適用される折板屋根材の取付構造に関する。
【背景技術】
【０００２】
従来より、屋根の構造材上に立設固定されたタイトフレームに折板屋根材を取り付ける構造として、折板屋根材の上部又は下部をタイトフレーム（受金具）に嵌合するものがある（特許文献１〜８参照）。この嵌合式の取付構造によれば、折板屋根材をタイトフレームに取り付ける際、ボルトの締め付け等の作業を省くことができ、施工性が向上する。
【特許文献１】特公平３−４８９８６号公報
【特許文献２】特公平３−４８９８７号公報
【特許文献３】特許第２６１８３９３号公報
【特許文献４】特許第３４２６５４８号公報
【特許文献５】特許第３５１０１２８号公報
【特許文献６】特開２００４−３３７３号公報
【特許文献７】特開２００１−１３２１７６号公報
【特許文献８】特開平１０−１８３８８４号公報
【発明の開示】
【発明が解決しようとする課題】
【０００３】
しかし、特許文献１〜特許文献５の取付構造では、折板屋根材の上部のみをタイトフレームに嵌合し、また、特許文献６〜特許文献８の取付構造では、折板屋根材の下部（底部）のみをタイトフレームに嵌合するが、いずれのタイプの取付構造でも、施工の際等に折板屋根材とタイトフレームとの嵌合が不測に解かれるおそれがある。そこで、前記嵌合状態を確保するためにそのかみ合わせを深くすると、施工性が低下し、嵌合部の嵌め込みが困難となる傾向がある。
【０００４】
本発明は上述の事柄に留意してなされたもので、その目的は、施工性に優れるとともに、タイトフレームと折板屋根材との嵌合を良好に行え、しかもその状態を確保することができる嵌合式折板屋根材の取付構造を提供することである。
【課題を解決するための手段】
【０００５】
上記目的を達成するために、本発明の折板屋根材の取付構造は、屋根の構造材上に立設固定されたタイトフレームに折板屋根材を取り付ける折板屋根材の取付構造であって、前記折板屋根材の底部近傍に係止部を設け、前記タイトフレームが、二つの側壁部と、これらの側壁部の上側に連設される天部とを備えた山状板部を有し、前記二つの側壁部には前記係止部が係止する被係止部を設けて、隣り合うタイトフレームの一方の被係止部と他方の被係止部とで構成された嵌合部と、前記底部とを嵌合固定してあり、前記被係止部が、前記側壁部から側方に向けて延びる被係止部本体と、この被係止部本体の上側に設けられ、前記被係止部本体の前記係止部との係止が解除される方向への変形を規制するストッパとを備えていることを特徴としている（請求項１）。
【０００６】
具体的には、前記被係止部本体が、板状の前記側壁部の下部にほぼコの字形状を切り込みを設け、この切り込みで囲まれた部位を起こすことで形成され、前記ストッパが、前記被係止部本体にほぼエの字形状の切り込みを設けて二つの部位を形成し、二つの部位を上側に起こすことで形成されている（請求項２）。
【発明の効果】
【０００７】
請求項１に係る発明では、ストッパを設けたことによって、折板屋根材の係止部とタイトフレームの被係止部との係止が容易に解除されることを確実に防止することができるので、前記折板屋根材とタイトフレームとの嵌合固定が非常に良好な状態で確保されることとなる。
【０００８】
請求項２に係る発明では、前記被係止部本体およびストッパを構成するために別途部材を用意する必要がなく、そのため、一枚の板状体からタイトフレーム全体を形成することも可能となる。
【発明を実施するための最良の形態】
【０００９】
図１〜図４は本発明の一実施の形態を示す。図１において、１は薄鋼板を波状に折り曲げ加工して形成された２山タイプの折板屋根材であり、山形部２と、この山形部２の下部に連設され、ほぼ水平に延びる底部（どぶ底、どぶ板とも呼ばれる平坦部分）３とを交互に有している。
【００１０】
前記山形部２は、頂部４と、この頂部４の両側から斜め下側に向けて延びる二つの側壁部５，６とを備えている。
【００１１】
そして、前記頂部４近傍に第一係止部７が、底部３近傍に第二係止部８が形成されている。すなわち、山形部２は、前記頂部４から底部３までの間に、上側（頂部４側）から順に、前記第一係止部７となるくびれ部分と、二つの側壁部５，６と、内側に狭まる下側縮小斜面部９と、外側に広がる下側拡大斜面部１０とを有している。そして、下側縮小斜面部９と二つの側壁部５，６の下端部とによってくびれ部分が形成され、このくびれ部分が前記第二係止部８となっている。
【００１２】
ここで、前記折板屋根材１の一端に設けられた頂部４’は、他の頂部４に比べて若干小さく形成されており、隣り合う折板屋根材１，１の一方の端の頂部４’と他方の端の頂部４とを重ね合わせてすくいかぶせの嵌合により連結することができるように構成されている。この連結の際には、すくい側の頂部４’の第一係止部７’の外側にかぶせ側の頂部４の第一係止部７が係止した状態となる。また、この実施の形態では、各折板屋根材１は前記第一係止部７，７’を三つ有し、両端の第一係止部７，７’の外側に連なる側壁部５，６がそれぞれ上部で切断されている。
【００１３】
図２は、屋根の構造材（鉄骨等）上に溶接等により立設固定されるタイトフレーム１１の構成を概略的に示す斜視図である。この図に示すように、タイトフレーム１１は、山状板部１２と、この山状板部１２の両端に連設される底板部１３とを備え、一枚の長尺の薄金属板（鋼帯等）からプレス成形（切り起こし）により成形することができる形状となっている。
【００１４】
前記山状板部１２は、二つの側壁部１４と、これらの側壁部１４の上側に連設され、ほぼ水平に延びる天部１５とを備えている。各側壁部１４の下部１４ａはほぼ鉛直方向に起立し、上部１４ｂはこの下部１４ａから斜め上方向に向けて延びている。
【００１５】
そして、前記天部１５には、折板屋根材１の第一係止部７が係止する第一被係止部１６を備えた第一嵌合部１７を、各側壁部１４には折板屋根材１の第二係止部８が係止し第二嵌合部１９を構成する第二被係止部１８を設けてある。
【００１６】
詳しくは、前記天部１５の中央部から一方の側壁部１４の上部にかけてほぼコの字形状の切り込み２０を設け、この切り込み２０で囲まれた部位を起こして前記第一嵌合部１７を形成してある。さらに、この第一嵌合部１７の上部中央に切り込みを設けて二つの部位１６ａ，１６ｂを形成し、二つの部位を互いに異なる方向へと折り曲げることにより前記第一被係止部１６を形成している。
【００１７】
また、前記側壁部１４の下部にほぼコの字形状を切り込み２１を設け、この切り込み２１で囲まれた部位を起こして、側壁部１４から側方に向けて延びる被係止部本体１８ａを形成してある。さらに、この被係止部本体１８ａにほぼエの字形状の切り込みを設けて二つの部位１８ｂ，１８ｃを形成し、二つの部位１８ｂ，１８ｃを上側に起こして、前記被係止部本体１８ａの側壁部１４に連設された部分を軸とした上方向への回動を側壁部１４に当接して防止（規制）するストッパとしてある。そして、前記被係止部本体１８ａとストッパ１８ｂ，１８ｃとによって前記第二被係止部１８が構成されている。なお、各ストッパ１８ｂ，１８ｃと側壁部１４との間の隙間はかなり小さくなるように構成されている。
【００１８】
ここで、前記タイトフレーム１１は、図３に示すように、適宜の間隔をおいて複数並べて配置される。そして、隣り合うタイトフレーム１１の向かい合う二つの前記第二被係止部１８によって第二嵌合部１９が構成される（図３参照）。
【００１９】
上記タイトフレーム１１に折板屋根材１を取り付けるには、図３に示すように、前記第一嵌合部１７を折板屋根材１の頂部４に嵌合固定する。このとき、タイトフレーム１１の前記第一被係止部１６に折板屋根材１の前記第一係止部７が係止した状態となる。
【００２０】
また、折板屋根材１の各底部３をタイトフレーム１１の第二嵌合部１９に嵌合固定する。このとき、まず、図４（Ａ）に示すように、タイトフレーム１１の前記第二被係止部１８の被係止部本体１８ａの先端上側に、折板屋根材１の前記第二係止部８が当接する。そして、折板屋根材１をさらに下側へと移動させようとすると、同図（Ｂ）に示すように、被係止部本体１８ａが弾性変形により側壁部１４に連設された部分を軸に若干回動して先端側が下がり、同図（Ｃ）に示す状態となる。そして、被係止部本体１８ａが元の状態に復元しようとする力を利用して、第二係止部８は被係止部本体１８ａを乗り越え、同図（Ｄ）に示すように、被係止部本体１８ａは復元力によって元の状態に戻る。なお、元の状態に戻った被係止部本体１８ａは、ストッパ１８ｂ，１８ｃの存在により、側壁部１４に連設された部分を軸に若干回動して先端側が上がることが規制（防止）される。従って、前記被係止部本体１８ａの第二係止部８との係止が解除される方向への変形が規制されることになり、折板屋根材１の底部３が第二嵌合部１９から簡単に抜けてしまうことを確実に防止することができる。
【００２１】
上記の作業により、タイトフレーム１１に対する折板屋根材１の取り付けが完了する。すなわち、折板屋根材１の頂部４および底部３にタイトフレーム１１の第一嵌合部１７および第二嵌合部１９を嵌合する際、第一係止部７，７’、第二係止部８および第一被係止部１６、第二被係止部１８がそれぞれ適宜に弾性変形し、嵌合後には各部のスプリングバック効果によってその嵌合状態が良好に保たれることになる。
【００２２】
上記の構成からなる取付構造では、折板屋根材１の頂部４と第一嵌合部１７との嵌合部分は、折板屋根材１どうしを連結する役割と水密性能を発揮する役割とを持ち、折板屋根材１の底部３と第二嵌合部１９との嵌合部分は、耐風圧（負圧）強度を負担する役割を持つことになる。このように役割を上記２種の嵌合部分に分担させたことにより、各嵌合部分を備えた前記取付構造はシンプルな構成で部品点数の少ないものとなっている。
【００２３】
なお、本発明は上記の実施の形態に限られず、種々に変形して実施することができる。例えば、前記折板屋根材１は２山タイプに限られず、１山タイプでも３山以上のタイプであってもよい。
【００２４】
また、折板屋根材１の側壁部５，６は、頂部４の両側から斜め下側に向けて延びるものに限られず、例えば、頂部４の両側からほぼ下側に向けて延びていてもよい。
【００２５】
さらに、図５に示すように、二つのタイトフレーム１１の底板部１３どうしが繋がっていてもよく、同様にして、三つ以上のタイトフレーム１１が繋がっていてもよい。
【００２６】
また、タイトフレーム１１の剛性等によって前記被係止部本体１８ａがほとんど弾性変形しない場合などには、例えば、図６（Ａ）および（Ｂ）に示すように、タイトフレーム１１の被係止部本体１８ａの先端部の上側コーナーのＲ加工等を行い、前記被係止部本体１８ａの先端部に、折板屋根材１の第二係止部８をスムーズに通過させるためのガイド部２２を設けてもよい。このように構成した場合、折板屋根材１の底部３とタイトフレーム１１の第二嵌合部１９との嵌合作業が容易となり、また、この作業時に折板屋根材１が傷つくことを確実に防止することができる。
【００２７】
さらに、前記ガイド部２２を形成するために、図６（Ａ）および（Ｂ）に示したようにＲ加工等を行う構成に代えて、図７（Ａ）および（Ｂ）に示すように、被係止部本体１８ａの先端部を下方に折曲してもよい。
【００２８】
また、折板屋根材１の頂部４とタイトフレーム１１の天部１５に設けた第一嵌合部１７とを嵌合固定する構成に代えて、例えば、馳締めによって前記頂部４をタイトフレーム１１に固定してもよい。さらに、前記天部１５をほぼ鉛直に延びる壁体とするとともに、この壁体に対して前記第二被係止部１８と同様の構成の部位を形成してこれを第一嵌合部１７とし、この第一嵌合部１７に頂部４の第一係止部７を係止することで、頂部４と第一嵌合部１７とを嵌合固定してもよい。
【図面の簡単な説明】
【００２９】
【図１】本発明の一実施の形態に係る折板屋根材の取付構造に用いられる折板屋根材の構成を概略的に示す正面図である。
【図２】上記実施の形態におけるタイトフレームの構成を概略的に示す斜視図である。
【図３】前記折板屋根材の取付構造の構成を概略的に示す正面図である。
【図４】（Ａ）〜（Ｄ）は、前記折板屋根材どうしの連結作業途中の要部の構成を概略的に示す説明図である。
【図５】前記タイトフレームの変形例の構成を概略的に示す斜視図である。
【図６】（Ａ）および（Ｂ）は、前記タイトフレームの他の変形例の構成を概略的に示す斜視図および要部拡大正面図である。
【図７】（Ａ）および（Ｂ）は、前記タイトフレームのさらに他の変形例の構成を概略的に示す斜視図および要部拡大正面図である。
【符号の説明】
【００３０】
１    折板屋根材
３    底部
４    頂部
４’  頂部
７    第一係止部
７’  第一係止部
８    第二係止部
１１    タイトフレーム
１２    山状板部
１４    側壁部
１５    天部
１６    第一被係止部
１７    第一嵌合部
１８    第二被係止部
１８ａ  被係止部本体
１８ｂ  ストッパ
１８ｃ  ストッパ
１９    第二嵌合部
【図１】
2006046005.tif 000003
【図２】
2006046005.tif 000004
【図３】
2006046005.tif 000005
【図４】
2006046005.tif 000006
【図５】
2006046005.tif 000007
【図６】
2006046005.tif 000008
【図７】
2006046005.tif 000009